【事件の表示】
　特願２００３−３７９０７４「移動通信システムにおけるＯＦＤＭ周波数再使用方法」拒絶査定不服審判事件〔平成１６年　６月　３日出願公開、特開２００４−１５９３４５〕について、次のとおり審決する。
【結　論】
　本件審判の請求は、成り立たない。
【理　由】
第１　手続の経緯
　本願は、平成１５年１１月７日（パリ条約による優先権主張平成１４年１１月７日、韓国、平成１５年１０月２９日、韓国）の出願であって、 平成１７年１１月２４日付けの拒絶の理由が通知され、平成１９年１月１２日付けで拒絶の査定がなされ、これに対し、同年４月２３日に拒絶査定不服審判が請求されるとともに、同月２４日付けで手続補正（以下、「本件補正」という。）がなされたものである。
　なお、平成１８年５月３０日付けで提出された手続補正書に係る手続は、同年１１月２０日付けで手続却下の処分がされている。
　
第２　平成１９年４月２４日付けの手続補正書についての補正却下の決定
［補正却下の決定の結論］
　平成１９年４月２４日付けの手続補正を却下する。
　
［理由］
１．本件補正の内容
　本件補正により、特許請求の範囲の請求項１は、
「直交周波数分割多重方式で端末と通信する複数の基地局を含む移動通信システムにおける直交周波数分割多重周波数資源の再使用方法において、
　各基地局において使用できる直交周波数分割多重周波数資源を４グループ以上に分割し、前記周波数資源の分割時、前記直交周波数分割多重周波数のキャリアインデックスが連続するようにグルーピングするか、不連続するようにグルーピングし、前記グルーピングされた直交周波数分割多重周波数資源毎に同一であるか、それとも異なる周波数再使用距離値を有するように設定する過程と、
　基地局の近隣領域から遠距離領域の順で前記グルーピングされた直交周波数分割多重周波数資源毎に周波数再使用距離値が小さい資源から周波数再使用距離値が大きい資源まで順次に割り当てる過程と、
を含ことを特徴とする方法。」と補正された。
　上記補正は、請求項１に記載した発明を特定するために必要な事項である「各基地局において使用できる直交周波数分割多重周波数資源を４グループ以上に分割し、前記分割された直交周波数分割多重周波数資源毎に同一であるか、それとも異なる周波数再使用距離値を有するように設定する過程」について「各基地局において使用できる直交周波数分割多重周波数資源を４グループ以上に分割し、前記周波数資源の分割時、前記直交周波数分割多重周波数のキャリアインデックスが連続するようにグルーピングするか、不連続するようにグルーピングし、前記グルーピングされた直交周波数分割多重周波数資源毎に同一であるか、それとも異なる周波数再使用距離値を有するように設定する過程」との限定を付加し、同じく「前記分割された直交周波数分割多重周波数資源のうち」について「前記グルーピングされた直交周波数分割多重周波数資源毎に」との限定を付加するものであって、特許法第１７条の２第４項２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法１２６条５項の規定に適合するか）について以下に検討する。
　
２．独立特許要件について
　以下では、本件補正後の上記請求項１に係る発明（以下、「本願補正発明」という。）が独立して特許を受けることができるものであるかについて、検討する。
　
（１）　本願補正発明
　本件補正後の請求項１に係る発明（以下、「本願補正発明」という。）は、平成１９年４月２４日付け手続補正書の特許請求の範囲の請求項１に記載された事項により特定される、以下のとおりのものである。
「【請求項１】
　直交周波数分割多重方式で端末と通信する複数の基地局を含む移動通信システムにおける直交周波数分割多重周波数資源の再使用方法において、
　各基地局において使用できる直交周波数分割多重周波数資源を４グループ以上に分割し、前記周波数資源の分割時、前記直交周波数分割多重周波数のキャリアインデックスが連続するようにグルーピングするか、不連続するようにグルーピングし、前記グルーピングされた直交周波数分割多重周波数資源毎に同一であるか、それとも異なる周波数再使用距離値を有するように設定する過程と、
　基地局の近隣領域から遠距離領域の順で前記グルーピングされた直交周波数分割多重周波数資源毎に周波数再使用距離値が小さい資源から周波数再使用距離値が大きい資源まで順次に割り当てる過程と、
を含むことを特徴とする方法。」
　なお、請求項１の末尾には「を含ことを特徴とする方法。」と記載されているが、「含こと」は「含むこと」の誤記と認められるため、上記のように認定した。
　
（２）　引用例
　原査定の拒絶の理由で引用された.国際公開第９８／５２３６４号（以下、「引用例」という。）には、図面とともに以下の事項が記載されている。（下線は当審にて付与。訳文は当審仮訳。）
　
ア　「According to the present method, additional sub-grids of inner cells can be added with correspondingly tighter frequency reuse patterns. In theory, there is no limit to the number of sub-grids of inner cells that can be generated, or overlapped, on the main grid of outer cells, although in reality this overlapping of sub-grids will be limited by the number of available carriers, and by the overhead to the system caused by the increased handoff requests in such a system. In the preferred embodiment of the invention described below, there are three levels of cells, an outer cell, an inner-cell, and an inner-inner cell. The outer cells have a conservative frequency reuse cluster size, or K-value, that approximates the traditional K-value used in cellular systems having only an outer grid of cells. The inner cell has a lower K-value, corresponding to a tighter frequency reuse pattern, and the inner-inner cells have an even lower K- value, and could in fact, have a K of 1, indicating that in each inner-inner cell the same frequencies are reused. This is the optimum frequency reuse condition in any cellular system. 」（９ページ１８行−１０ページ１１行）
　（この方法によれば、付加的に、「内部セル」のサブグリッドを、付随するより詰まった周波数再使用パターンと共に、加えることができる。
　理論上は、「外部セル」のメイングリッド上に生成したり重ねられる、「内部セル」のサブグリッドの数に上限はない。しかし、現実には、利用可能なキャリア（搬送波）の数と、そのようなシステムにおけるハンドオフ要求の増加によって生じるシステムのオーバヘッドとによって、このサブグリッドの重なりは、制限されるであろう。
　下記の発明の好ましい実施例では、
３つのレベルのセルがある。「外部セル」、「内部セル」、そして「内部−内部セル」である
　「外部セル」は、控えめな
周波数再使用クラスタサイズ、又は、Ｋ値
　「内部セル」は、より低いＫ値を持ち、これは、より詰まった周波数再使用パターンに対応する。そして、「内部−内部セル」は、さらにより低いＫ値を持ち、実のところ、
「１」のＫ値を持つことが可能であり、これは、
最適な周波数再使用の条件である
　
イ　「Turning now to Figure 2, an exemplary cellular system generated using the method of the present invention is shown, having a plurality of base station transceivers located at the center of each cell 
(
　
Figure 2 shows 21 outer cells, each having a single inner cell. The 21 outer cells are clustered into groups of 7, the outer cell clusters. 
Carrier frequencies in the outer cells are thus deployed based on a cluster size of 7, i.e. a K-value of 7. These carrier frequencies are labelled A-G, and as can be seen from the drawing, only one of the 7 frequencies is assigned to each outer cell in the 7 cell cluster. These outer cells have a frequency reuse pattern with a K-value of 7. 
　
The inner cells, which in this preferred embodiment are generated by the same base stations 12 as the outer cells, are assigned carrier frequencies by the network controller 10 on a tighter reuse pattern than the outer cells. In this example, the inner cells have a frequency reuse pattern with a K-value of 4. Frequencies X-Z are assigned to the inner cell frequency reuse groups 22. The outer cells are signal strength and interference limited by outer cell boundary 24, while the inner cells are interference limited at inner cell boundary 26. These boundaries are established by programming the system, i.e. the network controller, to perform a handoff when certain threshold levels for both RSSI and C/I reported by the mobile units. Because the method of the present invention provides mobile units that have the ability to directly measure the C/I level of a serving cell and neighboring cells, an overlapping grid of inner cells that purposely interfere with each other can be implemented in an existing cellular system, and the inner cells can be assigned frequencies with a much tighter frequency reuse pattern than the traditional outer cell-only implementation. 」（１６ページ２１行−１８ページ８行）
　（図２に移ると、この発明の方法を使用して生成された典型的な
セルラーシステムが
複数の基地局の送受信機が、各セルの中心に位置
　ネットワーク・コントローラー１０は図示されないが、基地局の送受信機１２に接続されている。また、
セルラーシステムと通信する複数の移動ユニット（
　図２は２１個の
「外部セル」
各々には一つの「内部セル」がある
「外部セル」は、７つのセルのグループである、「外部セル」のクラスタにクラスタ化される。
　
「外部セル」のキャリア周波数は、このようにして、クラスタ・サイズ「７」に基づいて、すなわち、Ｋ値「７」に基づいて、配置される。
　これらのキャリア周波数には、Ａ−Ｇのラベルが付けられる。また、図面から読み取れるように、７つの周波数のうち１つだけが、７つのセルのクラスタ中の個々の「外部セル」に割り当てられる。これら「外部セル」は、Ｋ値が７の周波数再使用パターンを持つ。
　
「内部セル」は、この好適な実施例では、「外部セル」と同じ基地局１２によって生成され、「外部セル」よりも詰まった再使用パターンで、ネットワーク・コントローラー１０によって、キャリア周波数を割り当てられる。
　
この例において、「内部セル」はＫ値「４」の周波数再使用パターンを持つ。周波数Ｘ−Ｚ（審決注：「周波数Ｗ−Ｚ」の誤記と認める）が、「内部セル」の周波数再使用グループ２２に割り当てら
　「外部セル」は、「外部セル」境界２４で、信号強度と干渉で制限される一方、「内部セル」は、「内部セル」境界２６で干渉で制限される。これらの境界は、システム、すなわち、ネットワークコントローラを、移動ユニットから報告されるＲＳＳＩ値とＣ／Ｉ値の両方の閾値レベルでハンドオフするように、プログラムすることによって設定される。
　この発明の方法は、サービング・セルおよび隣接セルのＣ／Ｉレベルを直接測定する能力を持つ移動ユニットを提供するので、意図的に相互に干渉する「内部セル」の重なり合うグリッドを、既存のセルラー・システムでインプリメントできる。また、「内部セル」には、従来の「外部セル」のみのインプリメンテーションよりはるかに詰まった周波数再使用パターンで、周波数を割り当てられる。）
　
ウ　「According to Figure 2, a mobile unit in the upper most cell 28 can communicate using carrier frequencies B and Y when the mobile is in the inner cell, and only carrier frequency B while in the outer cell. The size of the inner cells will depend on the cluster size or K-value chosen. A larger frequency reuse pattern for the inner cells will increase the size of the inner cells since carriers associated with the inner cells may be used at greater distances from the base station 12 before the C/I exceeds the programmed threshold level. By distinction, a smaller or tighter cluster size will result in a smaller inner cell pattern due to the higher level of interference from the more closely situated neighboring inner cell using the same frequency. The threshold level that determines the acceptable C/I level of the call could be altered, and this would result in a corresponding change in the size of the sub-cell. But, assuming a constant threshold, the tighter the frequency reuse pattern, the smaller the inner cells. 
　
Although not shown explicitly in Figure 2, the preferred embodiment of the present invention employs multiple overlapping sub-cells that may be centered at the base station for the outer cell, or which may be microcells positioned at other locations within the outer cell. For example, the efficiency gains of the present method as shown in Figure 2 could be improved upon by adding a third inner-inner level of sub-cells within the inner cells, this third grid of cells having an even tighter frequency reuse pattern than the inner sub-grid, such as a K-value of 1. 
With a K-value of 1, every outer cell contains a sub-cell, the inner-inner cell, that is using the same carrier frequency. This level of frequency reuse is not possible in prior art systems, but is feasible according to the method of the present invention by providing interference defined sub-cells with multiple frequency reuse patterns and mobile units capable of performing fast interference measurements as the mobiles travel about the system. 
　
Figure 3 sets forth a map of part of a system created using the method of the present invention, showing a mobile unit 38 traversing an outer cell 30 having two levels of interference limited sub-cells 32, 34 generated by the same base station 12 that is generating the outer cell 30. 
Assuming the call is generated in another outer cell (not shown) adjacent to outer cell 30, mobile unit 38 would already have downloaded the neighbor list from the base station serving the adjacent cell. This neighbor list would include the outer cell 30, which the mobile unit 38 is travelling towards. 」（１９ページ１行−２０ページ１６行）
　（図２によれば、
最上部のセル２８の移動ユニットは、「内部セル」では、キャリア周波数Ｂ及びＹを使用して通信できる。そして、「外部セル」では、キャリア周波数Ｂのみで通信でき
　「内部セル」のサイズは、選択したクラスタのサイズ、又はＫ値に依存するであろう。「内部セル」に対する、より大きな周波数再使用パターンによって、「内部セル」のサイズは増大するであろう。なぜならば、「内部セル」に関連付けられたキャリアは、Ｃ／Ｉ値がプログラムされた閾値を超えるまでに、基地局１２から、より大きな距離をおいて使用されてもよいからである。
　これと区別して、より小さな、又は、より詰まったクラスタのサイズは、結果的に、より小さな「内部セル」パターンに帰着する。これは、同じ周波数を使用する、より近接した位置で隣接する「内部セル」からの、より高いレベルの干渉による。
　許容できる呼のＣ／Ｉレベルを定めるしきい値のレベルは変更できるだろう。また、これは、対応するサブセルのサイズの変化に帰着するだろう。
　図２には、明示的に示されていないが、この発明の好適な実施例では、「外部セル」用の基地局に中心を置くか、あるいは、「外部セル」内の他の位置に置かれたマイクロセルである、複数の重なるサブセルを用いる。
　例えば、図２に示されるようなこの方法による効率性の利得は、
第３の「内部の内部」のレベルのサブセルを、「内部セル」内に加えることにより改善できるだろう。この第３のセルのグリッドは、「内部セル」のサブグリッドよりもさらに詰まった周波数再使用パターン、たとえば「１」のＫ値を持つ。
　
「１」のＫ値によれば、すべての「外部セル」は、サブセルである「内部−内部セル」を含み、各セルは、同一キャリア周波数を使用する
周波数再使用は、
この発明では、
実現が可能である
　図３は、この発明の方法を利用して作成されるシステムの一部の地図を記載している。移動ユニット３８が、「外部セル」を形成するのと同じ基地局１２によって生成される、２つのレベルの干渉により定義されるサブセル３２，３４を有するような、「外部セル」３０を横断していることが示される。
　呼が、「外部セル」３０に隣接する、他の（図示されない）「外部セル」で発生したと仮定して、移動ユニット３８は、隣接するセル提供する基地局から、すでに、隣接リストをダウンロードしているであろう。この隣接リストは、移動ユニット３８が向かっているところの、「外部セル」３０を含む。）
　
　これらの引用例の記載、及び、図面から、次の発明（以下、「引用発明」という。）が認定できる。
「セルラーシステムにおいて、複数の基地局の送受信機が、各セルの中心に位置し、セルラーシステムと通信する複数の移動ユニット（加入者）を備え、
　「外部セル」は、７つのセルのグループである、「外部セル」のクラスタにクラスタ化され、「外部セル」のキャリア周波数は、クラスタ・サイズ「７」に基づいて、すなわち、Ｋ値「７」に基づいて、配置され、これらのキャリア周波数には、Ａ−Ｇのラベルが付けられ、７つの周波数のうち１つだけが、７つのセルのクラスタ中の個々の「外部セル」に割り当てられ、これら「外部セル」は、Ｋ値が７の周波数再使用パターンを持ち、
　「外部セル」の各々には一つの「内部セル」があり、
　「内部セル」は、「外部セル」と同じ基地局１２によって生成され、「外部セル」よりも詰まった再使用パターンで、ネットワーク・コントローラー１０によって、キャリア周波数を割り当てられ、「内部セル」はＫ値「４」の周波数再使用パターンを持ち、周波数Ｗ−Ｚが、「内部セル」の周波数再使用グループ２２に割り当てられ、
　最上部のセル２８の移動ユニットは、「内部セル」では、キャリア周波数Ｂ及びＹを使用して通信でき、そして、「外部セル」では、キャリア周波数Ｂのみで通信でき、
　さらに、第３の「内部の内部」のレベルのサブセルを、「内部セル」内に加えることができるものであって、この第３のセルのグリッドは、「内部セル」のサブグリッドよりもさらに詰まった周波数再使用パターン、たとえば「１」のＫ値を持ち、「１」のＫ値によれば、すべての「外部セル」は、サブセルである、「内部−内部セル」を含み、各セルは、同一キャリア周波数を使用する、
　周波数再使用の実現を可能とする方法。」
　
（３）　対比
　本願補正発明と引用発明とを対比する。
ア　「システム」について
　引用発明における「基地局の送受信機１２」、「移動ユニット（加入者）」、「セルラーシステム」は、本願補正発明の「基地局」、「端末」、「移動通信システム」に対応する。
　引用例の「周波数再使用の実現を可能とする方法」は、「周波数資源の再使用方法」といえる
　
イ　周波数資源について
　引用発明の「外部セル」は、７つのセル毎にクラスタ化され、「外部セル」のキャリア周波数は、Ｋ値「７」に基づいて配置され、Ａ−Ｇのラベルが付けられ（引用例の図２参照）、７つの周波数のうち１つだけが、個々の「外部セル」に割り当てられるものである。
　また、一般に、複数のセル（基地局）からなるセルラーシステムでは、各セル毎に、所定の周波数帯が（連続して又は不連続に）割り当てられていることは明らかである。
　よって、引用発明の「外部セル」では、「周波数資源」を、ラベルＡ−Ｇに対応する、７つのグループに分割しているといえる。
　同様に、引用発明の「内部セル」は、Ｋ値「４」の周波数再使用パターンを持ち、キャリア周波数Ｗ−Ｚが（引用例の図２参照）、「内部セル」の周波数再使用グループ２２に割り当てられるものであるから、引用発明の「内部セル」では、「周波数資源」を、ラベルＷ−Ｚに対応する、４つのグループに分割しているといえる。
　したがって、引用発明において「「外部セル」は、７つのセルのグループである、「外部セル」のクラスタにクラスタ化され、「外部セル」のキャリア周波数は、クラスタ・サイズ「７」に基づいて、すなわち、Ｋ値「７」に基づいて、配置され、これらのキャリア周波数には、Ａ−Ｇのラベルが付けられ、７つの周波数のうち１つだけが、７つのセルのクラスタ中の個々の「外部セル」に割り当てられ、これら「外部セル」は、Ｋ値が７の周波数再使用パターンを持ち、「外部セル」の各々には一つの「内部セル」があり、「内部セル」は、「外部セル」と同じ基地局１２によって生成され、「外部セル」よりも詰まった再使用パターンで、ネットワーク・コントローラー１０によって、キャリア周波数を割り当てられ、「内部セル」はＫ値「４」の周波数再使用パターンを持ち、周波数Ｗ−Ｚが、「内部セル」の周波数再使用グループ２２に割り当てられ」ることと、本願発明の「各基地局において使用できる
直交周波数分割多重
　
ウ　周波数再使用距離値について
　引用発明において、「Ｋ値」は、「周波数再使用クラスタサイズ」（引用例の上記アの記載を参照）、すなわち、周波数再使用の単位となる１つのクラスタに含まれるセルの数である。
　一方、本願発明の「周波数再使用距離値」は、本願の発明の詳細な説明の段落【００２５】に、「周波数再使用距離３及び１（３つの基地局に１回ずつ使用するキャリアと全ての基地局において使用するキャリア）」と記載されるから、周波数再使用における距離、すなわち、何個の基地局毎に、同じ周波数を再使用するかという値である。
　よって、引用発明の「Ｋ値」は、本願発明の「周波数再使用距離値」に相当する。
　また、引用発明において、「Ｋ値」は、外部セルに関して７、内部セルでは４、内部の内部セルでは１である。よって、例えば「外部セル」同士に関しては、いずれもＫ値が７で「同一である」一方、外部セルと内部セルに関しては、Ｋ値が７と４で「異なる」といえる。
　よって、引用発明において、「「外部セル」は、Ｋ値が７の周波数再使用パターンを持ち」、「「内部セル」はＫ値「４」の周波数再使用パターンを持ち、「「１」のＫ値によれば、すべての「外部セル」は、サブセルである、「内部−内部セル」を含」むことは、本願発明の「前記グルーピングされた直交周波数分割多重周波数資源毎に同一であるか、それとも異なる周波数再使用距離値を有するように設定する」と「前記分割された周波数資源毎に同一であるか、それとも異なる周波数再使用距離値を有するように設定する」点で一致する。
　
　したがって、両者の一致点、相違点は以下のとおりである。
　
［一致点］
　端末と通信する複数の基地局を含む移動通信システムにおける周波数資源の再使用方法において、
　各基地局において使用できる周波数資源を４グループ以上に分割し、
　前記分割された周波数資源毎に同一であるか、それとも異なる周波数再使用距離値を有するように設定する過程と、
を含むことを特徴とする方法。」
　
［相違点１］
　本願発明は、「直交周波数分割多重方式で」端末と通信する、「直交周波数分割多重」周波数資源の再使用方法に関するのに対して、引用発明には「直交周波数分割方式で」端末と通信し、「直交周波数分割多重」周波数資源を再使用することに関して記載がない点。
　
［相違点２］
　本願発明は、周波数資源を４グループ以上に分割することに関して、「前記周波数資源の分割時、前記直交周波数分割多重周波数のキャリアインデックスが連続するようにグルーピングするか、不連続するようにグルーピングし」ているのに対して、引用発明は、周波数資源を４グループ以上に分割する際に、そもそも直交周波数分割多重周波数に関して記載がなく、さらに直交周波数分割多重周波数のキャリアインデックスのグルーピングに関しても記載がない点
　
［相違点３］
　本願発明は、「基地局の近隣領域から遠距離領域の順で前記グルーピングされた直交周波数分割多重周波数資源毎に周波数再使用距離値が小さい資源から周波数再使用距離値が大きい資源まで順次に割り当てる」のに対して、引用発明の「内部−内部セル」、「内部セル」、「外部セル」では、それぞれ、Ｋ値「１」、Ｋ値「４」、Ｋ値「７」に基づいて周波数資源を分割して、最上部のセル２８の移動ユニットの「内部セル」には、キャリア周波数Ｂ及びＹを割当て、「外部セル」には、キャリア周波数Ｂのみを割り当てるものであって、「内部セル」に対して、「内部セル」固有のキャリア周波数（Ｙ）と共に、「外部セル」のキャリア周波数（Ｂ）をも割り当てる点。
　
（４）　相違点についての判断
［相違点１、相違点２について］
　データ通信において、変調方式として、互いに直交している複数のキャリア周波数（「サブキャリア」）を用いる「直交周波数分割多重方式」（以下「ＯＦＤＭ方式」という。）は周知である。また、ＯＦＤＭ方式の複数のサブキャリアは「連続する」か、「連続しない」のいずれかであることが明らかであって、しかも、いずれも周知である。
　なお、サブキャリアが「連続する」ＯＦＤＭ方式については、必要ならば、特開２００１−３５９１５２号公報（特に図５及び段落【００４８】の「・・・利用可能通信帯域（本例では２０ＭＨｚ幅）を８分割し・・・」の記載、図７及び段落【００５２】の「・・・各セルの中心に・・・小さなセルＡを設ける。・・・４つのＯＦＤＭチャンネル（例えばｆ１、ｆ２、ｆ３、ｆ４）をまとめて１つのＯＦＤＭチャンネルとして・・・」の記載を参照）、特開２０００−２８６８２２号公報（特に、図６−図７、段落【００３１】−【００３２】の「本発明によれば、ＯＦＤＭシステムにおいて・・・図７は，セクタのセット６０３、６０５、６０７のそれぞれのサブバンド１、２、３へのサブバンド割当ての１つの割当て例を示している。」の記載）を参照。
　サブキャリアが「連続しない」ＯＦＤＭ方式については、必要ならば、国際公開第０２／４９３８５号（特に図６、段落［００８２］（パテントファミリである特表２００４−５２９５２４号公報の図６、段落【００６８】の「図６は、代表的な分割例を示している・・・これは各グループ内の周波数ダイバーシティを改善し・・・」）の記載）を参照。
　よって、引用発明の変調方式として、周知のＯＦＤＭ方式を採用すると共に、この際、複数のサブキャリアが「連続する」か、「連続しない」ものを採用することによって、相違点１、相違点２のように構成することは、容易に推考できることである。
　
［相違点３］について
　セルの中心の領域とセルの周辺の領域のそれぞれに、キャリア周波数を、重複しないように割当てることは、例えば、特開平６−３１１０８９号公報（図２、段落【００２２】、【００３２】を参照）、特開平５−１１０４９９号公報（図２、段落【００１２】−【００１４】、【００１８】の「周辺領域（図４（ｂ）の・・・ドーナツ状の領域）に割り当てるチャネルの帯域をＢ２とする」の記載を参照）に記載されるように周知である。
　したがって、引用発明において、上記周知技術のように、内部セルにおいて、外部セルに割り当てたキャリア周波数を利用せずに、セルの中心領域と周辺領域に、キャリア周波数を重複しないように割当てる周知技術を採用することによって、「内部セル」が「外部セル」に割り当てられたキャリア周波数を重複して使用しないようにキャリア周波数を割り当てることによって、相違点３のように構成することは、容易に推考できることである。
　
　そして、本願補正発明のように構成したことによる効果も引用発明及び周知技術から予測できる程度のものである。
　
（５）　むすび
　以上のとおり、本願補正発明は、引用発明、及び周知技術に基づいて、当業者が容易に発明をすることができたものであるから、特許法第２９条第２項の規定により特許を受けることができない。
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１．本願発明
　平成１９年４月２４日付けの手続補正は上記のとおり却下されたので、本願の請求項１に係る発明は、出願当初の特許請求の範囲の請求項１に記載された事項により特定される、以下のとおりのものである。（以下、「本願発明」という。）
「【請求項１】
　直交周波数分割多重方式で端末と通信する複数の基地局を含む移動通信システムにおける直交周波数分割多重周波数資源の再使用方法において、
　各基地局において使用できる直交周波数分割多重周波数資源を４グループ以上に分割し、前記分割された直交周波数分割多重周波数資源毎に同一であるか、それとも異なる周波数再使用距離値を有するように設定する過程と、
　基地局の近隣領域から遠距離領域の順で前記分割された直交周波数分割多重周波数資源のうち周波数再使用距離値が小さい資源から周波数再使用距離値が大きい資源まで順次に割り当てる過程と、
を含むことを特徴とする方法。」
　
２．引用例
　引用例の記載については、上記第２の２（２）で述べたとおりである。
　
３．対比・判断
　本願発明は、前記「第２」で検討した本願補正発明から、「各基地局において使用できる直交周波数分割多重周波数資源を４グループ以上に分割し、前記分割された直交周波数分割多重周波数資源毎に同一であるか、それとも異なる周波数再使用距離値を有するように設定する過程」の限定事項である「各基地局において使用できる直交周波数分割多重周波数資源を４グループ以上に分割し、前記周波数資源の分割時、前記直交周波数分割多重周波数のキャリアインデックスが連続するようにグルーピングするか、不連続するようにグルーピングし、前記グルーピングされた直交周波数分割多重周波数資源毎に同一であるか、それとも異なる周波数再使用距離値を有するように設定する過程」との構成を省き、「前記分割された直交周波数分割多重周波数資源のうち」の限定事項である「前記グルーピングされた直交周波数分割多重周波数資源毎に」との構成を省いたものである。
　そうすると、本願発明の構成要件をすべて含み、さらに他の構成要件を付加したものに相当する本願補正発明が、上記第２の２（４）に記載したとおり、引用例及び周知技術に基づいて、当業者が容易に発明をすることができたものであるから、本願発明も同様の理由により、引用発明及び周知技術に基づいて、当業者が容易に発明をすることができたものである。　
　
４．むすび
　以上のとおり、本願発明は、引用例に記載された発明、並びに周知技術に基づいて、当業者が容易に発明をすることができたものであるから、特許法第２９条第２項の規定により特許を受けることができない。
　よって、結論のとおり審決する。